(57)【要約】【課題】  光の拡散効果が十分に得られるとともに装飾部材の清掃作業の軽減を図ることができる遊技機を提供する。【解決手段】  透明部材保持枠は、前面枠に透明部材保持枠本体２２を軸着し、該透明部材保持枠本体２２の前面のうち開口部２１の周辺に点状の発光体４４を設けるとともに、該発光体４４を覆う状態で前方に膨出した第１レンズ部材９１を配設し、該レンズ部材９１は、発光体４４からの光を拡散する第１内レンズ部材９１ａと、第１内レンズ部材９１ａから所定間隔を開けて第１内レンズ部材９１ａを覆う第１外レンズ部材９１ｂとから構成され、第１内レンズ部材９１ａは、発光体４４に対向する面とは反対側の表面に光拡散レンズ９６を形成し、第１外レンズ部材９１ｂは、開口部２１の周縁に沿って配置され、開口部２１側の縁部を後方へ延出してガラスユニット２８の前面に当接又は近接するように構成される。【選択図】  図１７
2006042960.tif 000002
【特許請求の範囲】
【請求項１】
遊技盤が取り付けられる前面枠に透明部材保持枠を開閉可能に取り付け、該透明部材保持枠に、前記遊技盤の遊技領域を視認可能な開口部を形成するとともに、該開口部を塞ぐ状態で透明部材を保持する遊技機において、
前記透明部材保持枠は、
前記前面枠に透明部材保持枠本体を軸着し、該透明部材保持枠本体の前面のうち前記開口部の周辺に点状の発光体を設けるとともに、該発光体を覆う状態で前方に膨出したレンズ部材を配設し、
該レンズ部材は、
前記発光体からの光を拡散する内レンズ部材と、
前記内レンズ部材から所定間隔を開けて内レンズ部材を覆う外レンズ部材と、
から構成され、
前記内レンズ部材は、前記発光体に対向する面とは反対側の表面に光拡散レンズを形成し、
前記外レンズ部材は、前記開口部の周縁に沿って配置され、前記開口部側の縁部を後方へ延出して前記透明部材の前面に当接又は近接するように構成されたことを特徴とする遊技機。
【請求項２】
遊技盤が取り付けられる前面枠に透明部材保持枠を開閉可能に取り付け、該透明部材保持枠に、前記遊技盤の遊技領域を視認可能な開口部を形成するとともに、該開口部を塞ぐ状態で透明部材を保持する遊技機において、
前記透明部材保持枠は、
前記前面枠に軸着される透明部材保持枠本体と、
該透明部材保持枠本体の裏側に設けられ、透明部材を保持するための透明部材保持部材と、
前記透明部材保持枠本体の前側に設けられる装飾部材と、
を備え、
前記装飾部材は、前記透明部材保持枠本体に、所定範囲内を前後方向へ移動可能な状態で取り付けられるとともに、前記開口部の周縁に沿って配置され、当該装飾部材のうち前記開口部側の縁部を後方へ延出して前記透明部材の前面に当接可能な当接部を形成し、
前記装飾部材を付勢部材により常時後方へ付勢し、
前記透明部材を前方から押圧した際に該透明部材が後方移動することに伴って、前記装飾部材が前記所定範囲内にて当接部を前記透明部材の前面に当接した状態で後方移動するように構成したことを特徴とする遊技機。
【発明の詳細な説明】
【技術分野】
【０００１】
本発明は、パチンコ遊技機等の遊技機、特にガラス枠の前面にレンズ部材等の装飾部材を備えた遊技機に関する。
【背景技術】
【０００２】
従来の遊技機、例えば、パチンコ遊技機においては、表面に遊技領域を形成した遊技盤を前面枠に装着し、この前面枠にガラス枠（透明部材保持枠）を開閉可能に軸着し、ガラス枠の開口部を塞ぐようにしてガラスユニットを取り付け、このガラスユニットを通して遊技盤の遊技領域が見えるように構成されている。また、ガラス枠の開口部の周辺には装飾部材、例えば遊技上の演出を行う発光体およびレンズ部材が設けられている。そして、発光体としては、明るいランプを使用することが多かったが、このランプは切れて交換が必要なことや単色しか発光できないこと、さらには大型であることから、パチンコ遊技機の保全作業の効率低下や、設計上の制約を生じさせる虞があった。そこで、近年では、発光体にＬＥＤ（切れ難い、複色発光、小型の発光体）を複数個並べて使用したパチンコ遊技機が提案されている（例えば、特許文献１）。
【特許文献１】特開２０００−０７０５１４号公報
【発明の開示】
【発明が解決しようとする課題】
【０００３】
ところで、点状に発光するＬＥＤを複数使用したパチンコ遊技機では、レンズ部材の外側面にレンズカットを施して凸状あるいは凹状の光拡散レンズを形成し、この光拡散レンズにより各ＬＥＤからの光を拡散してレンズ部材全体から光が広がって発生するかのように見せている。しかしながら、光拡散レンズをレンズ部材の外側面に形成すると、ゴミや埃等が溜まり易く清掃作業（メンテナンス作業）に負担が掛かってしまう。そのため、光拡散レンズをレンズ部材の内側面（すなわち光の入射側）に形成することも考えられるが、光拡散レンズを光の入射側に形成してしまうと、レンズ部材からの出射時に光の拡散効果が十分に得られず、レンズ部材内からの光が点状に分かれた状態で出射する虞があり、高い装飾性を期待できない。
【０００４】
また、ガラスが前方から押されると、ガラスと開口部の縁部に配置される装飾部材（例えばレンズ部材）との間に隙間ができてしまう。そのため、この隙間からセル板やピアノ線等の不正部材が遊技領域へ挿入されて遊技盤上の装置、例えば変動入賞装置を不正に操作する等の不正行為がなされるという問題があった。
【０００５】
そこで、本発明は、上記の事情に鑑みてなされたものであり、その目的は、光の拡散効果が十分に得られるとともに装飾部材の清掃作業の軽減を図ることができる遊技機を提供しようとするものである。
【０００６】
また、透明部材と装飾部材との間に隙間が形成される不都合をなくし、不正部材が挿入されて不正行為が行われることを防止できる遊技機を提供しようとするものである。
【課題を解決するための手段】
【０００７】
本発明は、上記目的を達成するために提案されたものであり、請求項１に記載のものは、遊技盤が取り付けられる前面枠に透明部材保持枠を開閉可能に取り付け、該透明部材保持枠に、前記遊技盤の遊技領域を視認可能な開口部を形成するとともに、該開口部を塞ぐ状態で透明部材を保持する遊技機において、
前記透明部材保持枠は、
前記前面枠に透明部材保持枠本体を軸着し、該透明部材保持枠本体の前面のうち前記開口部の周辺に点状の発光体を設けるとともに、該発光体を覆う状態で前方に膨出したレンズ部材を配設し、
該レンズ部材は、
前記発光体からの光を拡散する内レンズ部材と、
前記内レンズ部材から所定間隔を開けて内レンズ部材を覆う外レンズ部材と、
から構成され、
前記内レンズ部材は、前記発光体に対向する面とは反対側の表面に光拡散レンズを形成し、
前記外レンズ部材は、前記開口部の周縁に沿って配置され、前記開口部側の縁部を後方へ延出して前記透明部材の前面に当接又は近接するように構成されたことを特徴とする遊技機である。
【０００８】
請求項２に記載のものは、遊技盤が取り付けられる前面枠に透明部材保持枠を開閉可能に取り付け、該透明部材保持枠に、前記遊技盤の遊技領域を視認可能な開口部を形成するとともに、該開口部を塞ぐ状態で透明部材を保持する遊技機において、
前記透明部材保持枠は、
前記前面枠に軸着される透明部材保持枠本体と、
該透明部材保持枠本体の裏側に設けられ、透明部材を保持するための透明部材保持部材と、
前記透明部材保持枠本体の前側に設けられる装飾部材と、
を備え、
前記装飾部材は、前記透明部材保持枠本体に、所定範囲内を前後方向へ移動可能な状態で取り付けられるとともに、前記開口部の周縁に沿って配置され、当該装飾部材のうち前記開口部側の縁部を後方へ延出して前記透明部材の前面に当接可能な当接部を形成し、
前記装飾部材を付勢部材により常時後方へ付勢し、
前記透明部材を前方から押圧した際に該透明部材が後方移動することに伴って、前記装飾部材が前記所定範囲内にて当接部を前記透明部材の前面に当接した状態で後方移動するように構成したことを特徴とする遊技機である。
【発明の効果】
【０００９】
本発明によれば、以下のような優れた効果を奏する。
請求項１に記載の発明によれば、透明部材保持枠は、前面枠に透明部材保持枠本体を軸着し、該透明部材保持枠本体の前面のうち開口部の周辺に点状の発光体を設けるとともに、該発光体を覆う状態で前方に膨出したレンズ部材を配設し、該レンズ部材は、発光体からの光を拡散する内レンズ部材と、内レンズ部材から所定間隔を開けて内レンズ部材を覆う外レンズ部材とから構成され、内レンズ部材は、発光体に対向する面とは反対側の表面に光拡散レンズを形成し、外レンズ部材は、開口部の周縁に沿って配置され、開口部側の縁部を後方へ延出して透明部材の前面に当接又は近接するように構成されたので、発光体からの光を内レンズ部材から出射するときに十分に拡散させることができる。したがって、点状の発光体間にも光を拡散させることができ、内レンズ部材の全体に亘って発光するように見せることができる。また、レンズ部材の外表面に凹み部が形成されず、清掃作業が容易である。さらに、開口部の縁部まで光を導出することができ、装飾性の高い演出を行うことができ、遊技の興趣を高めることができる。
【００１０】
請求項２に記載の発明によれば、透明部材保持枠は、前面枠に軸着される透明部材保持枠本体と、該透明部材保持枠本体の裏側に設けられ、透明部材を保持するための透明部材保持部材と、透明部材保持枠本体の前側に設けられる装飾部材とを備え、装飾部材は、透明部材保持枠本体に、所定範囲内を前後方向へ移動可能な状態で取り付けられるとともに、開口部の周縁に沿って配置され、当該装飾部材のうち開口部側の縁部を後方へ延出して透明部材の前面に当接可能な当接部を形成し、装飾部材を付勢部材により常時後方へ付勢し、透明部材を前方から押圧した際に該透明部材が後方移動することに伴って、装飾部材が前記所定範囲内にて当接部を透明部材の前面に当接した状態で後方移動するように構成したので、透明部材が押されて後方へ移動したとしても、装飾部材も後方へ移動することができ、透明部材との間に隙間ができる不都合をなくすことができる。したがって、装飾部材と透明部材との間からセル板やピアノ線等の不正部材を挿入されて不正行為が行われることを未然に防止することができる。
【発明を実施するための最良の形態】
【００１１】
以下、代表的な遊技機であるパチンコ遊技機を例に挙げて本発明の実施の最良の形態を図面に基づき説明する。図１はパチンコ遊技機の正面図、図２は透明部材保持枠を開放した状態におけるパチンコ遊技機の斜視図である。
パチンコ遊技機１は、外枠（機枠あるいは本体枠）２に、大きな矩形状開口部を有する略額縁状の前面枠（内枠）３の一側（図中左側）を開閉可能に取り付け、この前面枠３の遊技盤収納部４（図２参照）内に遊技盤５を着脱（交換）可能な状態で取り付け、遊技盤５の表面には、表示装置、大入賞口、一般入賞口（いずれも図示せず）、アウト口５′などを配設した遊技領域６をガイドレールなどの遊技領域区画部材７により区画することで形成している。また、前面枠３の前面側には、一側（図中左側）が軸着（軸支）された透明部材保持枠８を開閉（回動）可能に設け、該透明部材保持枠８に透視可能なガラス板９を収納し、このガラス板９を通して遊技領域６を前方から透視可能な状態で覆い、透明部材保持枠８の下方に上皿ユニット１０と下皿ユニット１１とを左右に少し位置をずらした状態で上下に設けてある。そして、このパチンコ遊技機１は、その横に設置されたカードユニット（図示せず）のカード挿入口にプリペイドカード等の記憶媒体（遊技価値が記憶されている）を挿入し、透明部材保持枠８の下部に設けられた球貸用操作ボタン１２を操作すると、パチンコ遊技機１の内部に設けられた球排出装置（図示せず）が作動して遊技球が上皿ユニット１０に排出されるとともに記憶媒体の記憶内容が書き換えられ、返却用操作ボタン１３を操作するとカードユニット内の記憶媒体がカード挿入口から返却されるように構成されている。
【００１２】
次に、透明部材保持枠（前面カバー部材）８について説明する。
透明部材保持枠８は、図３〜６に示すように、遊技盤５の遊技領域６の全体が視認可能な略円形の開口部２１を開設した透明部材保持枠本体２２と、該透明部材保持枠本体２２の前面上部に設けられたパイロットレンズユニット２３と、パイロットレンズユニット２３の左右両端部の下方に設けられたスピーカー２４と、該スピーカー２４の前方を覆うスピーカー装飾ユニット２５と、透明部材保持枠本体２２の前面下部に設けられた下部装飾ユニット２６と、開口部２１の周縁部に設けられた略環状のレンズユニット２７と、透明部材保持枠本体２２の裏側に開口部２１を塞ぐ状態でガラス板９を取り付けるガラスユニット２８（本発明の透明部材に相当。図８参照。）と、開口部２１の下方部分に配設され、ガラスユニット２８の下端を嵌合する裏面部材２９と、透明部材保持枠本体２２の裏面上部に設けられ、ガラスユニット２８を保持するための透明部材保持部材３０とから概略構成されている。そして、透明部材保持枠本体２２の一側（図７中右側）の上部に設けた蝶番機構（上側蝶番機構）３１と一側下部に設けたヒンジ金具（下側蝶番機構）３２とにより前面枠３の一側に開閉可能に軸着されている。また、透明部材保持枠本体２２の他側上部には開閉検出器３３を、その検出部を後方へ突出する状態で透明部材保持枠本体２２の前方から取り付け、透明部材保持枠８の開閉状態を検出できるように構成されている。なお、開閉検出器３３の前方には、透明部材保持枠８の前面の一部を構成する検出器カバー３４を取り付けている。
なお、パイロットレンズユニット２３、スピーカー装飾ユニット２５、下部装飾ユニット２６、レンズユニット２７は、透明部材保持枠本体２２の裏側からねじ等の止着部材（図示せず）により着脱可能な状態で取り付けられ、止着部材を取り外せば、前方へ容易に取り外せるように構成されている。したがって、例えばスピーカー２４が故障等して交換が必要となった場合には、スピーカー装飾ユニット２５を取り外してスピーカー２４を簡単に露出させることができ、交換作業を迅速に行うことができる。
【００１３】
透明部材保持枠本体２２は、合成樹脂により成形された背面開放の浅いカバー状の部材である。この透明部材保持枠本体２２は、図９に示すように、上部の左右にスピーカー取付部３８を設けて前方からスピーカー２４をねじ等の止着部材（図示せず）により止着し、前面には複数の発光基板を取り付けている。具体的に説明すると、前面のうち上部にパイロットランプ用発光基板４１および警告ランプ用発光基板４２を、開口部２１の周辺、詳しくは開口部２１の全周縁部には、複数分割された開口部発光基板４３をそれぞれ配置し、各発光基板４１，４２，４３の前面に点状の発光体（例えば、ＬＥＤ）４４を複数配設している。なお、パイロットランプ用発光基板４１に配設された発光体４４は、遊技中における所謂大当り時に点灯するパイロットランプ４４ａとして機能する。また、警告ランプ用発光基板４２に配設された２つの発光体４４のうち一方（図中左側）の発光体は、透明部材保持枠８が前面枠３に対して開いたときに開閉検出器３３からの信号に基づいて点灯する開閉ランプ４４ｂとして機能し、他方は、パチンコ遊技機１内の球排出機構（図示せず）に球詰まり等のエラーが発生したときに点灯する球排出エラーランプ４４ｃとして機能する。
【００１４】
また、透明部材保持枠本体２２の裏面には、図７に示すように、開口部２１の内周縁の外側に壁状の防犯リブ４８が立設され、該防犯リブ４８の内側にガラスユニット２８が装着されるように構成されている。そして、この透明部材保持枠本体２２の裏面のうち開口部２１の上方に横長な金属製の上補強プレート５１をねじで固定するとともに、開口部２１の一側（透明部材保持枠８の回動軸着端側。図中右側。）に縦長な軸支端補強プレート５２を、開口部２１の他側（透明部材保持枠８の回動自由端側。図中左側。）に縦長な自由端補強プレート５３を、開口部２１の下方に横長な下補強プレート５４を軸支端補強プレート５２の下端と自由端補強プレート５３の下端とに接続した状態でそれぞれねじにより固定している。さらに、軸支端補強プレート５２の前側（透明部材保持枠本体２２との間）に蝶番機構３１の軸部材３１ａを設け、軸支端補強プレート５２の下部にはヒンジ金具３２の軸受穴３２ａを開設している。また、自由端補強プレート５３の上寄りに矩形状のプレート開口５５を開設し、このプレート開口５５から開閉検出器３３の検出部を後方へ臨ませている。なお、上補強プレート５１、軸支端補強プレート５２、自由端補強プレート５３、下補強プレート５４はそれぞれ金属板製であり、透明部材保持枠本体２２の開口部２１の四方を囲むように付設される補強材として機能する。なお、図７中、符号５６は透明部材保持枠本体２２の上部に取り付けられる配線カバー部材であり、符号５７は透明部材保持枠本体２２の軸着側に取り付けられる防犯兼配線カバー部材である。
【００１５】
パイロットレンズユニット２３は、パイロットランプ４４ａからの光を拡散させる横長な逆三角形状の装飾部材である。このパイロットレンズユニット２３は、図１０に示すように、レンズ取付基材６０の上縁に切欠部６０ａを設け、この切欠部６０ａにレンズ取付基材６０よりもひと回り小さな逆三角形状の有色透明なパイロットレンズ６１を後方から嵌め込み、このパイロットレンズ６１とレンズ取付基材６０とにより、当該パイロットレンズユニット２３の前面に前方へ膨出した緩やかな下り傾斜面を形成している。なお、パイロットレンズ６１は、裏側（透明部材保持枠本体２２側）に楕円状拡散レンズを複数形成し、後方のパイロットランプ４４ａからの光を拡散させて前方へ照射するように構成されている。
【００１６】
また、パイロットレンズ６１の右側方には、横並びに一体成形された開閉ランプ用レンズ６２および球排出エラーランプ用レンズ６３をレンズ取付基材６０の２つの開口穴６０ｂからそれぞれ突出し、後方の開閉ランプ４４ｂおよび球排出エラーランプ４４ｃからの光を前方へ照射するように構成されている。そして、パイロットレンズ６１、開閉ランプ用レンズ６２および球排出エラーランプ用レンズ６３の後方には、レンズ押え部材６４を取り付けている。このレンズ押え部材６４は、パイロットレンズ６１の下縁部に当接する略倒「く」字状のパイロットレンズ押え６４ａと、開閉ランプ用レンズ６２および球排出エラーランプ用レンズ６３を押えるランプ用レンズ押え６４ｂとを備え、ランプ用レンズ押え６４ｂには、後方の各ランプ４４ｂ，４４ｃからの光を通過させる通光穴６４ｃを開設している。そして、パイロットレンズ押え６４ａとレンズ取付基材６０の切欠部６０ａの縁との間にパイロットレンズ６１の下縁部を挟むとともに、開閉ランプ用レンズ６２および球排出エラーランプ用レンズ６３の後端にランプ用レンズ押え６４ｂを当接し、この状態で止着部６４ｄをレンズ取付基材６０の裏側の止着受部６０ｃにねじで止着することで、パイロットレンズユニット２３にパイロットレンズ６１、開閉ランプ用レンズ６２および球排出エラーランプ用レンズ６３を固定している（図１１参照）。
【００１７】
下部装飾ユニット２６は、図１２に示すように、上縁を円弧状に凹ませた下部装飾ベース部材６７を備え、該下部装飾ベース部材６７の前面左側に、略直角三角形状の第１装飾パネル６８と横長な有色透明の第２装飾パネル６９とを上下に配置した状態で取り付け、前面右側には略円弧形状を呈し有色透明の第３装飾パネル７０と操作ユニット７１とを上下に配置した状態で取り付けている。
【００１８】
操作ユニット７１は、前記した球貸用操作ボタン１２および返却用操作ボタン１３を前面に備えたユニットであり、図１３に示すように、当該操作ユニット７１の前面に配置されるボタンパネル７３と、該ボタンパネル７３の後側に配置され、球貸用スイッチ７４、返却用スイッチ７５および度数表示器（７セグメントＬＥＤ）７６を実装する操作基板７７と、該操作基板７７に後方から当接したままボタンパネル７３に固定される基板押え７８とから構成されている。ボタンパネル７３は、不透明樹脂製のフロントパネル７３ａと有色透明樹脂製のリアパネル７３ｂとを前後に重ねて構成され、フロントパネル７３ａの右上部に設けた切欠部７３ｃにリアパネル７３ｂの一部を臨ませて、後方の度数表示器７６を透視可能な窓部を形成している。また、フロントパネル７３ａとリアパネル７３ｂとの間に、両ボタン１２，１３を左右両側から膨出したボタンベース８０を挟み込み、フロントパネル７３ａには２つの開口部７３ｄを横並びに開設し、各開口部７３ｄから球貸用操作ボタン１２および返却用操作ボタン１３をそれぞれ突出させている。また、リアパネル７３ｂのうち各ボタン１２，１３の後部に対向する箇所には、後方の球貸用スイッチ７４および返却用スイッチ７５を前方に臨ませる貫通孔７３ｅを開設している。したがって、球貸用操作ボタン１２は、遊技者により押されると後方へ移動して球貸用スイッチ７４を押圧し、返却用操作ボタン１３は、遊技者により押されると後方へ移動して返却用スイッチ７５を押圧する。
なお、操作ユニット７１は、下部装飾ベース部材６７に裏側からねじ等の止着部材（図示せず）により着脱可能な状態で取り付けられている。また、透明部材保持枠本体２２のうち上記止着部材に対向する箇所には、止着部材が十分に通過可能な開口穴（図示せず）を開設してある。したがって、操作ユニット７１が故障等して交換が必要となった場合には、この操作ユニット７１を、下部装飾ユニット２６を透明部材保持枠本体２２に取り付けたままの状態で、透明部材保持枠８から前方へ簡単に取り外すことができ、交換作業を迅速に行うことができる。
【００１９】
次に、レンズユニット２７について説明する。
レンズユニット２７は、図１４および図１５に示すように、略逆「σ」字状を呈するレンズベース８２と、該レンズベース８２の各部に固定される複数の区画装飾片（レンズベース８２の上部に取り付けられる上側区画装飾片８３、右側（透明部材保持枠８の回動自由端側）に取り付けられる円弧状の右側区画装飾片８４、左側（透明部材保持枠８の回動軸着端側）に取り付けられる円弧状の第１左側区画装飾片８５および第２左側区画装飾片８６）とから構成されている。レンズベース８２は、複数のレンズ部材を円環状に一体成形した部材であり、内側に遊技領域６を、ガラス板９（ガラスユニット２８）を介して臨ませるように構成されている（図１参照）。なお、便宜上、レンズベース８２を３つの略円弧状の部位に分けて説明し、左上側の部位を第１レンズ部材９１、右上側の部位を第２レンズ部材９２、第１レンズ部材９１の下部と第２レンズ部材９２の下部とを接続する部位（下側の部位）を第３レンズ部材９３と称する。
【００２０】
また、第１レンズ部材９１の上部と第２レンズ部材９２の上部との間には、透明部材保持枠８の回動軸着側に突出する横長な略三角形状の突出パネル９４を、前方に上側区画装飾片８３を配置した状態で備えている。そして、突出パネル９４の前面に複数のレンズ突起９５を突設するとともに上側区画装飾片８３に開設された突出孔８３ａから前方に臨ませ、後方の発光体４４からの光を前方へ投射するように構成されている。さらに、第１レンズ部材９１と第３レンズ部材９３との間には第１左側区画装飾片８５および第２左側区画装飾片８６が配置され、第２レンズ部材９２と第３レンズ部材９３との間には右側区画装飾片８４が配置されている。
【００２１】
レンズベース８２の左上部を構成する第１レンズ部材９１は、開口部２１の左側周縁の開口部発光基板４３の前方に膨出して配置された二重構造のレンズ部材であり、透明な材質（例えば透明樹脂）で成形されている。この第１レンズ部材９１は、開口部発光基板４３上の発光体４４を覆う略円弧状の第１内レンズ部材９１ａと、該第１内レンズ部材９１ａを覆う略円弧状の第１外レンズ部材９１ｂとから構成されている。第１内レンズ部材９１ａは、図１７に示すように、後側（すなわち開口部発光基板４３側）を開放し、幅方向に沿う断面を略Ｕ字状に形成した中空部材である。また、長手方向の中間部分を上下両端部よりも前方に膨出し（図１４参照）、内側には発光体４４の先端部を収納している。
また、第１内レンズ部材９１ａの外側面、すなわち発光体４４に対向する面とは反対側の表面には、図１６に示すように、第１内レンズ部材９１ａの幅方向に沿った筋状の光拡散レンズ９６を、この第１内レンズ部材９１ａの全体に亘って複数条（複数本）突設して、発光体４４の光を拡散するように構成されている。
【００２２】
第１外レンズ部材９１ｂは、第１内レンズ部材９１ａよりもひと回り大きく形成され、後側を開放した中空部材であり、幅方向に沿う断面を略Ｕ字状に形成し、内側の中空部分に第１内レンズ部材９１ａを収納している。すなわち、第１内レンズ部材９１ａから所定間隔、例えば第１内レンズ部材９１ａの光拡散レンズ９６と第１外レンズ部材９１ｂの内側面とが十分に離れて接触しない程度の間隔を開けて、第１内レンズ部材９１ａを覆って保護している。
【００２３】
なお、第１内レンズ部材９１ａおよび第１外レンズ部材９１ｂは、突出パネル９４のうち透明部材保持枠８の軸着側の縁に沿って延出部９１ｃ，９１ｄを備えて、第２レンズ部材９２の先端部と併せて突出パネル９４の縁を装飾するように構成されている。
また、第１内レンズ部材９１ａは、外周縁および延出部９１ｃの基端部に設けた止着部９１ｅを第１外レンズ部材９１ｂの後方からねじ等の止着部材により止着して、第１外レンズ部材９１ｂ内に位置決めされる。
そして、第１レンズ部材９１の外側には、短い円弧状の第４レンズ部材９７が配置されている（図４および図１７参照）。この第４レンズ部材９７は、幅方向に沿う断面を略Ｕ字状に形成して内側に発光体４４の先端を収納し、内側面には複数の六角形状の拡散レンズを蜂の巣状に連続して形成し、後方の発光体４４からの光を拡散するように構成されている。
【００２４】
レンズベース８２の右上部を構成する第２レンズ部材９２は、開口部２１の右側周縁の開口部発光基板４３の前方に膨出して配置された二重構造のレンズ部材であり、透明な材質（例えば透明樹脂）で成形されている。この第２レンズ部材９２は、開口部発光基板４３上の発光体４４を覆う略円弧状の第２内レンズ部材９２ａと、該第２内レンズ部材９２ａを覆い、上端を第１内レンズ部材９１ａの延出部９１ｃの先端まで延設した第２外レンズ部材９２ｂとから構成されている。第２内レンズ部材９２ａは、後側（すなわち開口部発光基板４３側）を開放し、幅方向に沿う断面を略Ｕ字状に形成した中空部材であり、内側に発光体４４の先端部を収納した状態で配置されている。また、第２内レンズ部材９２ａの外側面、すなわち発光体４４に対向する面とは反対側の表面には、第２内レンズ部材９２ａの幅方向に沿った筋状の光拡散レンズ（図示せず）を、この第２内レンズ部材９２ａの全体に亘って複数条（複数本）突設して、発光体４４の光を拡散するように構成されている。
【００２５】
第２外レンズ部材９２ｂは、第２内レンズ部材９２ａよりもひと回り大きく形成され、後側を開放した中空部材であり、幅方向に沿う断面を略Ｕ字状に形成し、内側の中空部分に第２内レンズ部材９２ａを収納している。すなわち、第２内レンズ部材９２ａから所定間隔、例えば第２内レンズ部材９２ａの光拡散レンズと第２外レンズ部材９２ｂの内側面とが十分に離れて接触しない程度の間隔を開けて、第２内レンズ部材９２ａを覆って保護している。なお、第２内レンズ部材９２ａは、外周縁の中間部および下部周辺に設けた止着部９２ｃを第２外レンズ部材９２ｂの後方からねじ等の止着部材により止着して、第２外レンズ部材９２ｂ内に位置決めされる。
【００２６】
このように、第１内レンズ部材９１ａおよび第２内レンズ部材９２ａの外側面に光拡散レンズ９６を形成したので、発光体４４からの光を第１内レンズ部材９１ａおよび第２内レンズ部材９２ａから出射するときに十分に拡散させることができる。したがって、各内レンズ部材の表面のうち発光体４４を後方に臨ませていない部分にも光を拡散させることができ、第１内レンズ部材９１ａおよび第２内レンズ部材９２ａの全体に亘って発光するように見せることができる。また、第１内レンズ部材９１ａを第１外レンズ部材９１ｂにより保護し、第２内レンズ部材９２ａを第２外レンズ部材９２ｂにより保護しているので、埃やゴミ等が溜まり易い凹み部が第１レンズ部材９１および第２レンズ部材９２の外表面に形成されることを防ぐことができ、各レンズ部材の清掃作業の負担軽減を図ることができる。
【００２７】
レンズベース８２の下部を構成する第３レンズ部材９３は、開口部２１の下側周縁に配置された開口部発光基板４３の前方に膨出して配置された一重構造の中空部材であり、透明な材質（例えば透明樹脂）で成形されている。この第３レンズ部材９３は、第１レンズ部材９１側（図１４中左側）の端部を第１レンズ部材９１の中間部分の外側に、第２レンズ部材９２側（図１４中右側）の端部を第２レンズ部材９２の中間部分の外側にそれぞれ配置し、当該第３レンズ部材９３の幅を第２レンズ部材９２側（図１４中右側）から第１レンズ部材９１側（図１４中左側）へ向けて次第に狭くなる状態で形成している。また、幅方向に沿う断面を略Ｕ字状に形成して内側に発光体４４の先端を配置している。そして、第３レンズ部材９３の内側面（すなわち、発光体４４に対向する面）のうち第１レンズ部材９１側の端部から中間部分までの間には、幅方向に沿った筋状の光拡散レンズを第１レンズ部材９１側から中間部分に亘って複数形成し、中間部分から第２レンズ部材９２側の端部までの間には、複数の六角形状の拡散レンズを蜂の巣状に連続して形成している。したがって、発光体４４から発生して第３レンズ部材９３を透過する光を、第３レンズ部材９３の右側と左側とで拡散状態を異ならせて前方へ照射することができ、装飾効果を高めることができる。
【００２８】
そして、第１レンズ部材９１および第２レンズ部材９２は、図１５および図１７に示すように、第１外レンズ部材９１ｂの内周側（開口部２１側）の端部および第２外レンズ部材９２ｂの内周側の端部をそれぞれ後方へ延出してガラスユニット２８のガラス板９の前面に当接、または僅かな隙間ができる程度に近接している。したがって、各内レンズ部材９１ａ，９２ａにより拡散された光を、開口部２１の縁部やガラスユニット２８のうち開口部２１の縁部の周辺まで導出することができる。このことから、遊技領域６の上側縁部の前方を明るく照らすことができ、装飾性の高い演出を行うことができ、遊技の興趣を高めることができる。
【００２９】
ところで、上記した実施形態では、レンズユニット２７の第１外レンズ部材９１ｂの内周側端部および第２外レンズ部材９２ｂの内周側端部をガラスユニット２８の前面に当接または近接させたが、本発明はこれに限定されず、レンズ部材の内周側端部をガラスユニット２８に常時付勢するように構成してもよい。例えば、図１８に示す第２実施形態の透明部材保持枠８は、基本的には上記実施形態と同じであるが、レンズユニットとその周辺の構成が異なる。すなわち、透明部材保持枠８は、透明部材保持枠本体２２の前面に前後移動可能なレンズユニット１００を備えている。このレンズユニット１００は、図１９に示すように、透明部材保持枠本体２２の前側、具体的には開口部２１の周縁の前側に、開口部２１の周縁に沿う状態で設けられた円環状のレンズ部材１０１（本発明における装飾部材に相当）と、該レンズ部材１０１を前後移動可能な状態で透明部材保持枠本体２２に取り付ける移動機構１０２とから構成されている。
【００３０】
レンズ部材１０１は、後側（開口部発光基板４３側）を開放し、幅方向に沿う断面を略Ｕ字状に形成した中空部材であり、当該レンズ部材１０１の内側面（発光体４４に対向する面）には、例えば幅方向に沿った筋状の光拡散レンズ（図示せず）を複数形成して、発光体４４からの光を拡散するように構成されている。また、レンズ部材１０１の内周側（開口部２１側。図中左側）の端部を後方へ延出してガラスユニット２８のガラス板９の前面に当接可能な当接部１０３を形成し、発光体４４からの光を光拡散レンズにより当接部１０３まで拡散して、開口部２１の縁部やガラスユニット２８のうち開口部２１の縁部の周辺まで導出するように構成されている。したがって、このレンズ部材１０１は、遊技領域６の上側縁部の前方を明るく照らすことができ、装飾性の高い演出を行って遊技の興趣を高めることができる。
【００３１】
移動機構１０２は、レンズ部材１０１の外周側（開口部２１とは反対側。図中右側）の端部から外側へ向けて延設されたフランジ部１０５と、該フランジ部１０５の裏側から後方へ向けて延設したガイドロッド１０６と、透明部材保持枠本体２２に開設され、ガイドロッド１０６を前後方向へ移動可能な状態で遊嵌するガイド孔１０７とから概略構成され、レンズ部材１０１の外周側から透明部材保持枠本体２２の端部周辺に亘って装飾する装飾カバー部材１０８により前方を覆われて保護されている。そして、透明部材保持枠本体２２を貫通するガイドロッド１０６の先端にはガイド孔１０７よりも大きなストッパー１０９をねじ１１０により止着し、フランジ部１０５の裏側にはフランジ部１０５の後退範囲を規制する規制突起１１１を突設している。したがって、この移動機構１０２は、ガイドロッド１０６がガイド孔１０７内を前後移動することでレンズ部材１０１を前後方向へ案内する。そして、ストッパー１０９とガイド孔１０７の周辺とが当接することで、レンズ部材１０１が所定範囲（前後移動範囲）よりも前進することを阻止し、レンズ部材１０１の当接部１０３がガラスユニット２８のガラス板９から離れて隙間が形成されることを防止している。また、規制突起１１１と透明部材保持枠本体２２とが当接することで、レンズ部材１０１が所定範囲（前後移動範囲）よりも後退することを阻止し、フランジ部１０５およびレンズ部材１０１が後退し過ぎて、例えば発光体４４や開口部発光基板４３に当接する不具合を防いでいる。
なお、レンズ部材１０１の前後移動範囲は、ガラスユニット２８のガラス板９のうちレンズ部材１０１の当接部１０３との当接箇所が移動可能な範囲（例えば、ガラスユニット２８が前方から押されて撓んだときの上記当接箇所の移動範囲）よりも十分に広く設定されることが望ましい。
【００３２】
さらに、移動機構１０２は、ストッパー１０９の先端部（ガイドロッド１０６とは反対側の端部。図中下端部）の周囲から鍔部１１２を突設し、該鍔部１１２に圧縮状態のコイルばね等の付勢部材１１３の一端を、透明部材保持枠本体２２の裏面に上記付勢部材１１３の他端をそれぞれ係止し、ガイドロッド１０６、フランジ部１０５、およびレンズ部材１０１を常時後方（図中下方）へ付勢するように構成されている。
なお、付勢部材１１３は、レンズ部材１０１等を常時後方へ付勢できるものであれば、ゴム材や板ばねでもよい。
【００３３】
このような構成を備えた透明部材保持枠８において、ガラスユニット２８を透明部材保持枠本体２２に取り付けた常態では、図１９（ａ）に示すように、レンズ部材１０１が付勢部材１１３により常時後方へ付勢されて、当接部１０３がガラス板９の前面に当接して押圧する。また、ガラスユニット２８が前方から押されて後ろへ撓んだり、或いは、ずれたりした（すなわち後方移動した）としても、レンズ部材１０１は、当接部１０３をガラス板９に当接（押圧）した状態で後退（後方移動）することができる。そして、ガラスユニット２８が押し状態から解除され、後方へ撓んだ状態から元の状態へ復元する等してガラス板９が前進する場合であっても、レンズ部材１０１は、当接部１０３をガラス板９に当接（または押圧）した状態で前進することができる。したがって、レンズ部材１０１とガラス板９との間に隙間が形成されることを常に防ぐことができ、セル板やピアノ線等の不正部材を遊技領域６内に挿入されて不正行為が行われることを未然に防止することができる。
【００３４】
なお、レンズ部材１０１を常時後方へ付勢する付勢部材１１３は、透明部材保持枠本体２２の裏側に配置されることに限定されない。例えば、図２０に示すように、圧縮状態のコイルばね（付勢部材）１１４の一端をフランジ部１０５の前面に、他端をフランジ部１０５の前方に配置される装飾カバー部材１０８の裏側にそれぞれ係止し、フランジ部１０５を前方から押すようにしてレンズ部材１０１を後方へ付勢してもよい。
【００３５】
また、第２実施形態では、レンズユニット１００は、一重のレンズ部材１０１のみを備えたが、レンズ部材を内レンズ部材と、該内レンズ部材を覆う外レンズ部材とにより構成し、外レンズ部材または内レンズ部材の少なくともいずれか一方の内周側端部をガラス板９に常時付勢してもよい。さらに、レンズ部材１０１は、開口部２１の全周縁に沿って形成されているが、開口部２１の周縁の一部にのみ沿った円弧形状であってもよい。そして、レンズ部材を不透明の材質で形成して、形状による装飾性を備えた部材としてもよい。
【００３６】
上記実施形態では、透明部材保持枠８に透明部材としてガラスユニット２８を取り付けたが、本発明はこれに限定されず、ユニット化されていないガラス板をそのまま透明部材として透明部材保持枠８に取り付けてもよい。また、発光体としてＬＥＤを挙げたが、点状に発光する発光体であれば、例えば、発光源から光を導出する光ファイバーの端部を発光体として透明部材保持枠８に配置してもよい。そして、上記実施形態は、代表的な遊技機であるパチンコ遊技機１を例に挙げて説明したが、本発明はこれに限らず、その他、ガラス板などの透明部材を通して遊技領域を見るようにした遊技機であればよい。例えば、内部に封入した遊技球を循環させる封入球式パチンコ遊技機、アレンジボール式遊技機、雀球式遊技機等の遊技機であってもよい。
【００３７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３８】
【図１】パチンコ遊技機の正面図である。
【図２】透明部材保持枠を開いた状態のパチンコ遊技機の斜視図である。
【図３】透明部材保持枠の斜視図である。
【図４】透明部材保持枠の正面図である。
【図５】透明部材保持枠の背面図である。
【図６】透明部材保持枠の前面側の分解斜視図である。
【図７】透明部材保持枠の裏面側の分解斜視図である。
【図８】ガラスユニットを取り外した状態の透明部材保持枠の斜視図である。
【図９】透明部材保持枠本体の分解斜視図である。
【図１０】パイロットレンズユニットの分解斜視図である。
【図１１】パイロットレンズユニットの後方斜視図である。
【図１２】下部装飾ユニットの分解斜視図である。
【図１３】操作ユニットの分解斜視図である。
【図１４】レンズユニットの分解斜視図である。
【図１５】レンズユニットの後方斜視図である。
【図１６】第１内レンズ部材の部分拡大図である。
【図１７】図４におけるＡ−Ａ断面図である。
【図１８】第２実施形態の透明部材保持枠の正面図である。
【図１９】図１８のＢ−Ｂ断面図であり、（ａ）は常態図、（ｂ）はガラスユニットを押し込んだ状態を表す図である。
【図２０】第２実施形態の変形例であり、付勢部材をフランジ部と装飾カバー部材との間に備えたレンズユニットの概略断面図である。
【符号の説明】
【００３９】
１  パチンコ遊技機
３  前面枠
５  遊技盤
６  遊技領域
７  遊技領域区画部材
８  透明部材保持枠
９  ガラス板
２１  開口部
２２  透明部材保持枠本体
２４  スピーカー
２５  スピーカー装飾ユニット
２６  下部装飾ユニット
２７  レンズユニット
２８  ガラスユニット
３０  透明部材保持部材
３１  蝶番機構
３３  開閉検出器
４４  発光体
８２  レンズベース
８３  上側区画装飾片
８４  右側区画装飾片
８５  第１左側区画装飾片
８６  第２左側区画装飾片
９１  第１レンズ部材
９１ａ  第１内レンズ部材
９１ｂ  第１外レンズ部材
９２  第２レンズ部材
９２ａ  第２内レンズ部材
９２ｂ  第２外レンズ部材
９３  第３レンズ部材
９４  突出パネル
９５  レンズ突起
９６  光拡散レンズ
９７  第４レンズ部材
１００  レンズユニット
１０１  レンズ部材
１０２  移動機構
１０３  当接部
１０５  フランジ部
１０６  ガイドロッド
１０７  ガイド孔
１０８  装飾カバー部材
１０９  ストッパー
【図１】
2006042960.tif 000003
【図２】
2006042960.tif 000004
【図３】
2006042960.tif 000005
【図４】
2006042960.tif 000006
【図５】
2006042960.tif 000007
【図６】
2006042960.tif 000008
【図７】
2006042960.tif 000009
【図８】
2006042960.tif 000010
【図９】
2006042960.tif 000011
【図１０】
2006042960.tif 000012
【図１１】
2006042960.tif 000013
【図１２】
2006042960.tif 000014
【図１３】
2006042960.tif 000015
【図１４】
2006042960.tif 000016
【図１５】
2006042960.tif 000017
【図１６】
2006042960.tif 000018
【図１７】
2006042960.tif 000019
【図１８】
2006042960.tif 000020
【図１９】
2006042960.tif 000021
【図２０】
2006042960.tif 000022